(57)【特許請求の範囲】
【請求項１】
経時的に進行する場面における複数の画面画像データと、前記画面画像データに対応した場面で撮像された複数の動画データとを含むコンテンツデータを記憶する記憶手段と、
前記記憶手段に記憶された前記コンテンツデータを再生して、前記複数の画面画像データと前記複数の動画データとを場面ごとに順次経時的に表示部に表示するとともに、前記コンテンツデータの再生中に、前記複数の画面画像データの縮小画像の一覧を印刷時のレイアウト形式で配置するとともに前記コンテンツデータの再生時間の長さを配置した印刷用ページを前記表示部に表示する表示制御手段
を備えたことを特徴とするコンテンツ再生装置。
【請求項２】
前記コンテンツデータを生成して前記記憶手段に格納するとともに、前記コンテンツデータの生成の際に、前記印刷用ページと前記縮小画像を生成して前記記憶手段に格納するコンテンツ生成手段
をさらに備えたことを特徴とする請求項１に記載のコンテンツ再生装置。
【請求項３】
前記コンテンツ生成手段は、さらに、前記コンテンツデータの生成の際に、前記印刷用ページの作成を行うか否かを利用者に指定させ、前記印刷用ページの作成を行う旨の指定を受け付けた場合に、前記印刷用ページと前記縮小画像を生成して前記記憶手段に格納することを特徴とする請求項１に記載のコンテンツ再生装置。
【請求項４】
前記表示制御手段は、前記印刷用ページの表示指示を行うための印刷用ページ表示指示情報を含む前記コンテンツデータの再生画面を前記表示部に表示し、前記再生画面から、利用者による前記印刷用ページ表示指示情報の入力を受け付けた場合に、前記印刷用ページを前記表示部に表示することを特徴とする請求項３に記載のコンテンツ再生装置。
【請求項５】
前記コンテンツ生成手段は、さらに、前記印刷用ページの作成を行う旨の指定を受け付けた場合に、前記印刷用ページ表示指示情報を付加して前記再生画面を生成することを特徴とする請求項４に記載のコンテンツ再生装置。
【請求項６】
前記表示制御手段は、利用者により所望の前記印刷用ページの選択を受付け、選択を受け付けた前記印刷用ページを前記表示部に表示することを特徴とする請求項１に記載のコンテンツ再生装置。
【請求項７】
前記コンテンツ生成手段は、前記コンテンツデータの生成の際に、複数の前記印刷用ページと前記縮小画像を生成して前記記憶手段に格納することを特徴とする請求項６に記載のコンテンツ再生装置。
【請求項８】
前記印刷用ページは、印刷出力後に利用者が書き込み可能な領域を有することを特徴とする請求項１に記載のコンテンツ再生装置。
【請求項９】
経時的に進行する場面における複数の画面画像データと前記画面画像データに対応した場面で撮像された複数の動画データとを含むコンテンツデータを記憶手段から読み出して再生して、前記複数の画面画像データと前記複数の動画データとを場面ごとに順次経時的に表示部に表示するとともに、前記コンテンツデータの再生中に、前記複数の画面画像データの縮小画像の一覧を印刷時のレイアウト形式で配置するとともに前記コンテンツデータの再生時間の長さを配置した印刷用ページを前記表示部に表示する表示制御ステップ
を含むことを特徴とするコンテンツ再生方法。
【請求項１０】
経時的に進行する場面における複数の画面画像データと前記画面画像データに対応した場面で撮像された複数の動画データとを含むコンテンツデータを記憶手段から読み出して再生して、前記複数の画面画像データと前記複数の動画データとを場面ごとに順次経時的に表示部に表示するとともに、前記コンテンツデータの再生中に、前記複数の画面画像データの縮小画像の一覧を印刷時のレイアウト形式で配置するとともに前記コンテンツデータの再生時間の長さを配置した印刷用ページを前記表示部に表示する表示制御手順
をコンピュータに実行させることを特徴とするコンテンツ再生プログラム。
【発明の詳細な説明】
【技術分野】
【０００１】
本発明は、経時的に進行する場面における複数の画面画像データと画面画像データに対応した場面で撮像された複数の動画データとを含むコンテンツデータを再生して複数の画面画像データと複数の動画データを再生するコンテンツ再生装置、コンテンツ再生方法およびコンテンツ再生プログラムに関する。
【背景技術】
【０００２】
一般的にＷＥＢブラウザ等では、経時的に進行する一連の複数の画像や動画データを表示することが可能となっている。また、例えば、プレゼンテーションなど経時的に進行する場面の複数のスライド等の画面画像データと画面画像データに対応した場面で撮像された複数の動画データとを含むコンテンツデータを再生するコンテンツ再生装置などにおいても、一連の複数の画面画像データのそれぞれや動画データを場面の進行にあわせて表示することが可能となっている（例えば、特許文献１参照）。
【０００３】
【特許文献１】特開２００４−２３４３８９号公報
【発明の開示】
【発明が解決しようとする課題】
【０００４】
しかしながら、このような従来技術では、動画の再生中や経時的な一連の複数の画像の中の途中の画像を表示中に印刷指示を行った場合、印刷指示を行った時点で再生されている画像データや、再生中の動画データの印刷指示時点のフレームのみが印刷される。
【０００５】
このため、再生前あるいは再生中に、複数の一連の画像の全体の内容を把握することができないという問題がある。特に、プレゼンテーションなど経時的に進行する場面単位の複数の画面画像データの場合には、プレゼンテーションの開始前もしくは開始してからできるだけ早期にプレゼンテーションの全体のストーリーを把握しておくことが、プレゼンテーションの内容把握に好ましい。
【０００６】
本発明は、上記に鑑みてなされたものであって、複数の一連の画像データを順次表示している場合でも、複数の一連の画像データの全体の内容を把握することを容易に行うことができるコンテンツ再生装置、コンテンツ再生方法およびコンテンツ再生プログラムを提供することを目的とする。
【課題を解決するための手段】
【０００７】
上述した課題を解決し、目的を達成するために、請求項１にかかる発明は、経時的に進行する場面における複数の画面画像データと、前記画面画像データに対応した場面で撮像された複数の動画データとを含むコンテンツデータを記憶する記憶手段と、前記コンテンツデータを再生表示可能な表示部と、前記記憶手段に記憶された前記コンテンツデータを再生して、前記複数の画面画像データと前記複数の動画データとを場面ごとに順次経時的に表示部に表示するとともに、前記コンテンツデータの再生中に、前記複数の画面画像データの縮小画像の一覧を印刷時のレイアウト形式で配置するとともに前記コンテンツデータの再生時間の長さを配置した印刷用ページを前記表示部に表示する表示制御手段を備えたことを特徴とするコンテンツ再生装置である。
【０００８】
また、請求項２にかかる発明は、前記コンテンツデータを生成して前記記憶手段に格納するとともに、前記コンテンツデータの生成の際に、前記印刷用ページと前記縮小画像を生成して前記記憶手段に格納するコンテンツ生成手段をさらに備えたことを特徴とする。
【０００９】
また、請求項３にかかる発明は、前記コンテンツ生成手段は、さらに、前記コンテンツデータの生成の際に、前記印刷用ページの作成を行うか否かを利用者に指定させ、前記印刷用ページの作成を行う旨の指定を受け付けた場合に、前記印刷用ページと前記縮小画像を生成して前記記憶手段に格納することを特徴とする。
【００１０】
また、請求項４にかかる発明は、前記表示制御手段は、前記印刷用ページの表示指示を行うための印刷用ページ表示指示情報を含む前記コンテンツデータの再生画面を前記表示部に表示し、前記再生画面から、利用者による前記印刷用ページ表示指示情報の入力を受け付けた場合に、前記印刷用ページを前記表示部に表示することを特徴とする。
【００１１】
また、請求項５にかかる発明は、前記コンテンツ生成手段は、さらに、前記印刷用ページの作成を行う旨の指定を受け付けた場合に、前記印刷用ページ表示指示情報を付加して前記再生画面を生成することを特徴とする。
【００１２】
また、請求項６にかかる発明は、前記表示制御手段は、利用者により所望の前記印刷用ページの選択を受付け、選択を受け付けた前記印刷用ページを前記表示部に表示することを特徴とする。
【００１３】
また、請求項７にかかる発明は、前記コンテンツ生成手段は、前記コンテンツデータの生成の際に、複数の前記印刷用ページと前記縮小画像を生成して前記記憶手段に格納することを特徴とする。
【００１４】
また、請求項８にかかる発明は、前記印刷用ページは、印刷出力後に利用者が書き込み可能な領域を有することを特徴とする。
【００１５】
また、請求項９にかかる発明は、経時的に進行する場面における複数の画面画像データと前記画面画像データに対応した場面で撮像された複数の動画データとを含むコンテンツデータを記憶手段から読み出して再生して、前記複数の画面画像データと前記複数の動画データとを場面ごとに順次経時的に表示部に表示するとともに、前記コンテンツデータの再生中に、前記複数の画面画像データの縮小画像の一覧を印刷時のレイアウト形式で配置するとともに前記コンテンツデータの再生時間の長さを配置した印刷用ページを前記表示部に表示する表示制御ステップを含むことを特徴とするコンテンツ再生方法である。
【００１６】
また、請求項１０にかかる発明は、経時的に進行する場面における複数の画面画像データと前記画面画像データに対応した場面で撮像された複数の動画データとを含むコンテンツデータを記憶手段から読み出して再生して、前記複数の画面画像データと前記複数の動画データとを場面ごとに順次経時的に表示部に表示するとともに、前記コンテンツデータの再生中に、前記複数の画面画像データの縮小画像の一覧を印刷時のレイアウト形式で配置するとともに前記コンテンツデータの再生時間の長さを配置した印刷用ページを前記表示部に表示する表示制御手順をコンピュータに実行させることを特徴とするコンテンツ再生プログラムである。
【発明の効果】
【００１７】
請求項１、９および１０にかかる発明によれば、コンテンツデータを再生して、複数の画面画像データと複数の動画データとを場面ごとに順次経時的に表示部に表示するとともに、コンテンツデータの再生中に、複数の画面画像データの縮小画像の一覧を印刷時のレイアウト形式で配置するとともに前記コンテンツデータの再生時間の長さを配置した印刷用ページを表示部に表示することで、複数の一連の画像データを順次表示している場合でも、複数の一連の画像データの全体の内容を把握することを容易に行うことができるという効果を奏する。
【００１８】
また、請求項２にかかる発明によれば、コンテンツデータを生成して記憶手段に格納するとともに、コンテンツデータの生成の際に、印刷用ページと縮小画像を生成して記憶手段に格納することで、印刷用ページの表示時にその都度、縮小画像を生成する必要がなく、印刷用ページの表示処理を高速に行えるとともに、予め縮小画像を保存しておくので、縮小画像の画質を高精度に表示することができるという効果を奏する。
【００１９】
また、請求項３にかかる発明によれば、コンテンツデータの生成の際に、印刷用ページの作成を行うか否かを利用者に指定させ、印刷用ページの作成を行う旨の指定を受け付けた場合に、印刷用ページと縮小画像を生成して記憶手段に格納することで、利用者の所望の場合にのみ印刷用ページの表示を行え、利用者の便宜が図られるという効果を奏する。
【００２０】
また、請求項４にかかる発明によれば、印刷用ページの表示指示を行うための印刷用ページ表示指示情報を含むコンテンツデータの再生画面を表示部に表示し、再生画面から、利用者による印刷用ページ表示指示情報の入力を受け付けた場合に、印刷用ページを表示部に表示することで、簡易な操作で印刷用ページの表示を行えるという効果を奏する。
【００２１】
また、請求項５にかかる発明によれば、印刷用ページの作成を行う旨の指定を受け付けた場合に、印刷用ページ表示指示情報を付加して再生画面を生成することで、利用者の所望の場合にのみ印刷用ページの表示を行え、利用者の便宜が図られるという効果を奏する。
【００２２】
また、請求項６にかかる発明によれば、利用者により所望の印刷用ページの選択を受付け、選択を受け付けた印刷用ページを表示部に表示することで、利用者の所望の印刷形式で印刷用ページを表示することができ、利用者の便宜が図られるという効果を奏する。
【００２３】
また、請求項７にかかる発明によれば、コンテンツデータの生成の際に、複数の印刷用ページと縮小画像を生成して記憶手段に格納することで、複数の印刷形式の印刷用ページを利用者に提供することができ、利用者に所望の印刷用ページの選択を行わせることができるという効果を奏する。
【００２４】
また、請求項８にかかる発明によれば、印刷用ページは、印刷出力後に利用者が書き込み可能な領域を有することで、各場面での内容のメモ等を行え、利用者の便宜が図られるという効果を奏する。
【発明を実施するための最良の形態】
【００２５】
以下に添付図面を参照して、この発明にかかるコンテンツ再生装置、コンテンツ再生方法およびコンテンツ再生プログラムの最良な実施の形態を詳細に説明する。
【００２６】
（実施の形態１）
図１は、実施の形態１にかかるコンテンツ編集再生装置５を含むコンテンツ生成システム１の全体構成を示す模式図である。
【００２７】
コンテンツ生成システム１は、プレゼンテーション資料３１ａを格納し、プレゼンテーション資料の操作のイベントを記録するイベント記録装置２と、このイベント記録装置２と接続し、プレゼンテーション資料３１ａを表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画データ（以下単に「動画データ」という）からコンテンツを生成、編集および再生するコンテンツ編集再生装置５とを備えている。
【００２８】
ＤＶカメラ４とコンテンツ編集再生装置５は、例えば、ＩＥＥＥ１３９４などのインターフェイスで接続されている。また、イベント記録装置２とコンテンツ編集再生装置５は、ＩＥＥＥ８０２．１１ｂなどの通信インターフェイスで接続されている。無線通信環境がない場合は、通常のイーサネット（登録商標）によるピア・ツー・ピア接続であってもよい。
【００２９】
イベント記録装置２は、単にプレゼンテーション資料３１ａを格納しており、投影機３と通信可能であればよく、例えば、プレゼンターの所有するＰＣであってもよい。
【００３０】
編集者は、プレゼンターがプレゼンテーション資料３１ａを表示画面３０に表示させながらプレゼンテーションを行っている様子を、ＤＶカメラ４を用いて撮影する。ここで、編集者とは、コンテンツ生成システム１を利用して動画を編集する者のことである。
【００３１】
撮影が終了すると、コンテンツ編集再生装置５は、イベント記録装置２からプレゼンテーション資料３１ａを取得する。そして、コンテンツ編集再生装置５は、動画データを編集し、動画データにプレゼンテーション資料３１ａを対応付けたコンテンツファイルを生成する。このコンテンツファイルは、コンテンツ編集再生装置５において再生する他、利用者からの要求に応じてコンテンツファイルを提供してもよい。
【００３２】
図２は、本実施の形態にかかるコンテンツ生成システム１に特徴的な処理を行うコンテンツ編集再生装置５のコンテンツ編集部３５と、イベント記録装置２のイベント処理部３２の機能構成を示すブロック図である。
【００３３】
イベント記録装置２のイベント処理部３２は、イベント記録装置２に接続されたキーボード２１やマウス１５からの入力により、プレゼンテーションに関するイベントを示すイベント情報を取得するイベントキャプチャ部３３と、イベントキャプチャ部３３が取得したイベント情報を記録するイベント記録部３４と、イベント情報およびプレゼンテーション資料３１ａをコンテンツ編集再生装置５に送信する送信部４４とを有している。また、プレゼンテーション資料３１ａは、ハードディスクドライブ装置（ＨＤＤ）３１等の記憶媒体に格納されている。
【００３４】
コンテンツ編集再生装置５のコンテンツ編集部３５は、送信部４４からイベント情報およびプレゼンテーション資料３１ａを受け取る受信部３６と、受信部３６が受け取ったイベント情報を制御するイベント制御部３７と、イベント情報を記録するイベント記録部３８と、イベント記録部３８からイベント情報を取得し、イベント情報の内容を解釈するイベント解釈部４２と、イベント解釈部４２によって解釈されたイベント情報に基づいて動画データを編集し、コンテンツファイルを生成してハードディスクドライブ装置（ＨＤＤ）５１等の記憶媒体に格納するコンテンツ生成部４３と、利用者等からの指示を受け付ける指示受付部５４と、利用者からの要求を受けてコンテンツファイルを外部に送信する通信部５０と、ＤＶカメラ４が取り込んだ動画データをキャプチャする動画キャプチャ部４０と、動画データを管理する動画管理部４１と、ＤＶカメラ４を制御する撮影機器制御部３９と、ＨＤＤ５１からコンテンツファイル５２ａや印刷用ページ画面ファイル５２ｂを読み出してディスプレイ装置などの表示装置（図示せず）に対する表示制御を行う表示制御部５３と、ＨＤＤ５１からコンテンツファイル５２ａや印刷用ページ画面ファイル５２ｂを読み出してプリンタ装置（図示せず）への印刷処理を行う印刷部５５を備えている。
【００３５】
なお、本実施の形態では、コンテンツ編集再生装置５で、コンテンツファイル５２ａを生成し、生成したコンテンツファイル５２ａを再生する構成としているが、コンテンツファイル５２ａを他のコンピュータ等のコンテンツ再生装置に送信して、このコンテンツ再生装置でコンテンツファイル５２ａを再生するように構成してもよい。
【００３６】
ここで、コンテンツファイル５２ａは、プレゼンテーション資料３１ａにおける経時的に進行する場面における複数のスライド等の画面画像データと、画面画像データに対応した場面で撮像された複数の動画データとをイベント情報により同期をとって生成されたものである。このコンテンツファイル５２ａは、動画データの再生と同期して複数の画面画像データを順次表示することが可能となっている。
【００３７】
印刷用ページ画面ファイル５２ｂは、複数の画面画像データの縮小画像の一覧を印刷時のレイアウト形式で配置した表示画面のデータであり、印刷用ページの印刷時に表示装置に表示されるものである。
【００３８】
次に、プレゼンテーション資料３１ａについて説明する。図３は、プレゼンテーション資料３１ａについて説明するための模式図である。プレゼンテーション資料３１ａは、プレゼンテーションの際に表示画面３０に表示すべきスライド等の画面画像データ３１０，３１２，３１４，３１６，３１８，３２０を含んでいる。画面画像データ３１０，３１２，３１４，３１６，３１８，３２０は、経時的に進行する場面における一連のスライド等であり、各画面画像データ３１０，３１２，３１４，３１６，３１８，３２０には、ページ番号が対応付けられており、ページ番号順に順次表示される。すなわち、プレゼンテーション資料３１ａを構成する画面画像データは、当該プレゼンテーション資料３１ａの作成者が定めた順番に配列されている。図３に示すプレゼンテーション資料３１ａは、６ページ分の画面画像を含んでいる。これらは、プレゼンターからの指示により、１ページ、２ページ、・・・とページ順に表示される。なお、本実施の形態におけるプレゼンテーション資料３１ａは、Ｍｉｃｒｏｓｏｆｔ（登録商標）社製のＰｏｗｅｒＰｏｉｎｔ（登録商標）のファイルである。
【００３９】
次に、イベント情報について説明する。イベント情報とは、プレゼンテーションにおけるプレゼンターのプレゼンテーション資料３１ａの表示に関する各種操作によって発生したイベントと、イベントが示す操作内容と、イベントが発生した時刻（すなわち、操作を行った時刻）とを時系列に対応付けたデータである。通常、プレゼンテーションにおいて、プレゼンターは、以下の操作を行う。
【００４０】
１．イベント記録装置２の起動
２．プレゼンテーション・ソフトの起動
３．発表の開始
４．キーボード２１又はマウス１５の操作による、プレゼンテーション資料３１ａのページめくり
５．発表の終了
６．プレゼンテーション・ソフトの終了
７．イベント記録装置２の終了
【００４１】
ここで、ページめくりとは、表示画面３０に表示させる、プレゼンテーション資料３１ａを１ページから次のページすなわち２ページに切り替えることである。
【００４２】
以上の操作は、いずれもイベント記録装置２のマウス１５またはキーボード２１における所定の操作に対応付けられている。例えば、イベント記録装置２の表示画面に表示されたプレゼンテーション・ソフトのアイコンをマウス１５によりクリックする操作は、プレゼンテーション・ソフトの起動というイベントに対応付けられている。
【００４３】
イベント記録装置２のイベント記録部３４は、このイベント情報のログを記録し、送信部４４は通信インターフェイスを介してコンテンツ編集再生装置５のコンテンツ編集部３５に送信する。
【００４４】
コンテンツ編集再生装置５の撮影機器制御部３９は、イベント情報に基づいてＤＶカメラ４を制御する。イベント記録部３８は、イベント記録装置２から受信したイベント情報のみならず、ＤＶカメラ４の制御のイベントも記録する。
【００４５】
例えば、イベント記録開始というイベントが発生し、その情報をコンテンツ編集再生装置５が受信した場合には、イベント情報はイベント記録部３４で記録されるが、プレゼンテーション・ソフトのスライドショーが終了した際に、イベント情報がコンテンツ編集再生装置５に送られ、記録される。さらに、撮影機器制御部３９により、ＤＶカメラ４からの動画データ取り込みを開始する。プレゼンテーション・ソフトが終了して、そのイベント情報をイベント記録装置２から受信した場合には、コンテンツ編集再生装置５の撮影機器制御部３９は、ＤＶカメラ４からの動画データの取り込みを終了する。そして、イベント制御部３７は、プレゼンテーション・ソフトの終了をイベントとするイベント情報をイベント記録部３８に記録する。
【００４６】
イベント解釈部４２は、イベント情報の内容を解釈する。そして、コンテンツ生成部４３は、イベント解釈部４２によって解釈されたイベント情報の内容を参照し、プレゼンテーション資料３１ａ及び動画データに基づいてコンテンツファイル５２ａを生成する。
【００４７】
このように、コンテンツ編集部３５は、ＤＶカメラ４から取り込んだ動画データ中のイベントのイベント情報を動画データとともに管理することができる。つまり、ＤＶカメラ４で撮影され取り込まれた動画データは、時間の推移を規定する時間情報を付されて保存される。また、記録されたイベント情報は、コンテンツファイル生成部４３により、プレゼンテーション資料３１ａとマージされ、内容記述言語（ＨＴＭＬ、ＭＰＥＧ−７など）により管理される。
【００４８】
通信部５０は、表示制御部５３が編成した提供用情報を、ネットワークを介して外部に送信する。
【００４９】
図４は、コンテンツ編集部３５が生成したコンテンツファイル５２ａの一例を示す説明図である。コンテンツファイルは、動画データ４００と、動画データ４００の各区間４１０に対応付けられた複数の画面画像データ３１０,３１２・・・と目次情報を有している。なお、動画データ４００の各区間４１０は、複数のフレーム４２０を含んでいる。各区間４１０の長さは、イベント情報により決定される。このように、動画データ４００は、プレゼンテーション資料３１ａの各画面画像データ３１０，３１２・・・と対応付けられているので、動画データ４００とプレゼンテーション資料３１ａの各画面画像データ３１０，３１２・・・とを同期して表示させることができる。
【００５０】
図５は、コンテンツファイル５２ａの内部構造を示す説明図である。図５に示すように、コンテンツファイル５２ａは、各画面画像データごとに、画面画像データのファイル名と動画データのファイル名と区間（時間）と目次情報と印刷用ページサムネイル画像のファイル名とが対応付けられて構成されている。すなわち、コンテンツファイル５２ａは、ＨＴＭＬ、ＭＰＥＧ−７などの内容記述言語で生成され、コンテンツファイル５２ａにファイル名で指定された画面画像データ、目次用のサムネイル画像、印刷用ページ画面のデータおよび印刷用ページサムネイル画像がリンクされて指定される。また、コンテンツファイル５２ａには、印刷用ページ画面ファイル５２ｂのファイル名がリンクされている。
【００５１】
印刷用ページサムネイル画像は、印刷用ページに表示される画面画像データの縮小画像であり、画面画像データから別個に生成され、かつ目次に使用されるサムネイル画像とは別個に生成される。このため、印刷用ページ画面を表示するごとに画面画像データを縮小して生成する必要がなくなり、印刷用ページの表示処理を高速に行える。また、目次用のサムネイル画像を縮小拡大する必要もなくなり、縮小画像の品質を向上することもできる。
【００５２】
次に、以上のように構成された本実施の形態にかかるコンテンツ編集再生装置によるコンテンツファイルの生成処理について説明する。図６は、実施の形態１にかかるコンテンツファイルの生成処理の手順を示すフローチャートである。
【００５３】
まず、コンテンツ生成部４３は、コンテンツ生成画面を表示装置に表示する（ステップＳ６０１）。図７は、コンテンツ生成画面の一例を示す模式図である。図７に示すように、コンテンツ生成画面には、コンテンツのレイアウトを設定するため画面画像７０２の一覧が表示され、一覧で選択した画面画像が領域７０３に拡大表示される。また、コンテンツ生成画面には、コンテンツに表示する内容を設定するチェックボックスが表示される。このチェックボックスの中で、「印刷用スライド一覧ページ」のチェックボックス７０１は、印刷用ページを生成するか否かを指示するものである。すなわち、「印刷用スライド一覧ページ」のチェックボックス７０１をＯＮに指定した場合には、コンテンツ生成部４３は、コンテンツファイル５２ａを生成する際に、印刷用ページ画面ファイル５２ｂを画面画像の縮小画像とともに生成する。この場合、コンテンツファイル５２ａは、後述するコンテンツを表示する視聴画面に印刷用ページ表示ボタンが付加されて生成される。
【００５４】
一方、「印刷用スライド一覧ページ」のチェックボックス７０１をＯＮに指定しなかった場合には、コンテンツ生成部４３は、コンテンツファイル５２ａを生成する際に、印刷用ページ画面ファイル５２ｂも画面画像の縮小画像も生成しない。この場合、コンテンツファイル５２ａは、視聴画面に印刷用ページ表示ボタンが付加されずに生成される。
【００５５】
図６に戻り、コンテンツ生成画面によりＯＫボタンが押下されると、コンテンツ生成部４３は、ＤＶカメラ４から取得した動画データを、イベント記録装置２から取得したイベント情報７００に基づいて複数の区間に分割して、動画データの区間を決定する（ステップＳ６０２）。具体的には、「カウンタ値３、イベント種類ページ２に切り替え」及び「カウンタ値５、イベント種類ページ３に切り替え」を示す連続して記録された２つのイベント情報を取得した場合には、動画データのうち１０時１０分から１０時１６分の間に録画された区間はページ２に対応する区間と決定される。すなわち、１０時１０分および１０時１６分の位置を境界位置とする区間に分割する。
【００５６】
次に、コンテンツ生成部４３は、決定された各区間の長さを、予め定められた規定長と比較して区間調整を行う（ステップＳ６０３）。動画データが複数の区間に分割されると、次に、コンテンツ生成部４３は、イベント情報に基づいて、動画データとプレゼンテーション資料３１ａの画面画像とを同期させる（ステップＳ６０４）。
【００５７】
次に、コンテンツ生成部４３は、全ての画面画像データから目次用のサムネイル画像を生成し（ステップＳ６０５）、目次を生成する（ステップＳ６０６）。
【００５８】
次に、コンテンツ生成部４３は、画面画像データ、動画データ、目次等からコンテンツを生成する（ステップＳ６０７）。そして、コンテンツ生成画面で印刷用ページの作成がしてされているか否か、すなわち、「印刷用スライド一覧ページ」のチェックボックス７０１がＯＮに指定されたか否かを判断する（ステップＳ６０８）。
【００５９】
そして、印刷用ページの作成が指定されている場合には（ステップＳ６０８：Ｙｅｓ）、視聴画面のデータに印刷用ページ表示ボタンを追加する（ステップＳ６０９）。そして、全ての画面画像データから印刷用ページ画面表示用の縮小画像（印刷用ページサムネイル画像）を生成し（ステップＳ６１０）、さらに図５に示したような印刷用ページ画面のデータを生成する（ステップＳ６１１）。
【００６０】
ステップＳ６０８において、印刷用ページの作成が指定されていない場合（ステップＳ６０８：Ｎｏ）、視聴画面のデータへの印刷用ページ表示ボタンの追加、印刷用ページ画面表示用の縮小画像（印刷用ページサムネイル画像）の生成、印刷用ページ画面のデータの生成を行わずに処理を終了する。
【００６１】
以上のような処理により、コンテンツファイル５２ａが生成されてＨＤＤ５１に保存され、同時に、印刷用ページ画面のファイル５２ｂも印刷用ページサムネイル画像とともにＨＤＤ５１に保存される。
【００６２】
このように生成されたコンテンツファイル５２ａを再生すると、表示制御部５３によって視聴画面が表示装置に表示される。
【００６３】
図８は、コンテンツファイル５２ａの視聴画面の一例を示す模式図である。図８では、印刷用ページの作成が指定されている場合を例にあげて示している。図８に示すように、印刷用ページの作成が指定されて生成されたコンテンツファイル５２ａの視聴画面には、印刷ページ表示ボタン８０７が表示される。視聴画面には、映像表示領域８０１、画面画像表示領域８０２、目次領域８０６が設けられている。画面画像表示領域８０２には、画面画像データが経時的に切り替わって順次表示される。映像表示領域８０１には、画面画像表示領域８０２に表示されているプレゼンテーション資料３１ａの画面画像データに対応した動画データが表示される。目次領域８０６には、コンテンツファイル５２ａの目次情報が表示される。
【００６４】
この他、視聴画面には、画面画像データの再生制御ボタン８０８、動画データの再生制御ボタン、開催名８０３、映像と画面画像（スライド）の切替えボタン８０４、画面画像の拡大縮小ボタン８０５が表示される。
【００６５】
次に、実施の形態１にかかるコンテンツ編集再生装置５の表示制御部５３による印刷用ページの表示処理について説明する。図９は、実施の形態１における印刷用ページの表示処理の手順を示すフローチャートである。図８で示した視聴画面において、印刷用ページ表示ボタン８０７が押下されると、表示制御部５３は、印刷用ページ表示ボタン８０７の入力を受け付ける（ステップＳ９０１）。
【００６６】
そして、コンテンツファイル５２ａでリンクされている印刷用ページ画面ファイル５２ｂをＨＤＤ５１から読み出す（ステップＳ９０２）。さらに、表示制御部５３は、コンテンツファイル５２ａでリンクされている印刷用ページ用のすべての縮小画像（印刷用ページサムネイル画像）をＨＤＤ５１から読み出す（ステップＳ９０３）。
【００６７】
次に、表示制御部５３は、読み出した印刷用ページ画面ファイル５２ｂを、読み出したすべての縮小画像（印刷用ページサムネイル画像）とともに表示装置に表示する（ステップＳ９０４）。
【００６８】
図１０は、印刷用ページ画面の内容の一例を示す模式図である。図１０に示すように、印刷用ページ画面には、開催名、発表者名等の書誌的情報と、全ての画面画像の縮小画像１００１が表示される。また、当該縮小画像の右横には、各画面画像のタイトルが表示される。この各画面画像のタイトルの下の余白の領域は、印刷用ページを印刷した場合に、メモ書きが可能となっている。
【００６９】
図１０に示す印刷用ページ画面を印刷する場合には、所定の印刷指示操作によって行う。例えば、Internet  Explorer（登録商標）において印刷用ページ画面を表示している場合には、Internet  Explorer（登録商標）の印刷機能を利用して印刷指示を行う。このような印刷指示操作が行われた場合には、印刷部５５によって印刷用ページが印刷出力される（ステップＳ９０５）。
【００７０】
このように実施の形態１にかかるコンテンツ編集再生装置５では、コンテンツファイル５２ａを再生して、複数の画面画像データと複数の動画データとを場面ごとに順次経時的に表示装置に表示するとともに、コンテンツファイル５２ａの再生中に、複数の画面画像の縮小画像の一覧を印刷時のレイアウト形式で配置した印刷用ページ画面を表示装置に表示しているので、複数の一連の画面画像データを順次表示している場合でも、複数の一連の画面画像データの全体の内容を把握することを容易に行うことができる。
【００７１】
（実施の形態２）
実施の形態１のコンテンツ編集再生装置５は、コンテンツファイル５２ａの生成時に単一の印刷用ページを生成して、コンテンツファイル５２ａの再生時に印刷用ページ画面を表示していたが、この実施の形態２にかかるコンテンツ編集再生装置５は、複数の印刷用ページを生成して、コンテンツファイル５２ａの再生時に利用者に所望の印刷用ページを選択させ、選択された印刷用ページ画面を表示するものである。
【００７２】
実施の形態２にかかるコンテンツ編集再生装置５およびイベント記録装置２の構成については、実施の形態１と同様である。
【００７３】
一方、コンテンツファイル５２ａの構造では、印刷用ページのファイルのリンク指定がない点が実施の形態１のコンテンツファイル５２ａの構造と異なっている。
【００７４】
本実施の形態では、コンテンツ編集再生装置５のコンテンツ生成部４３によるコンテンツファイル５２ａの生成時に、レイアウトの異なる複数の印刷用ページ画面ファイル５２ｂを生成してＨＤＤ５１に保存する。ここで、本実施の形態では、複数の印刷用ページ画面で、同一の印刷用ページサムネイル画像を表示するように構成されており、このため、実施の形態１と同様に、印刷用ページサムネイル画像としては各画面画像ごとに生成される。
【００７５】
次に、実施の形態２にかかるコンテンツ編集再生装置５の表示制御部５３による印刷用ページの表示処理について説明する。図１１は、実施の形態２における印刷用ページの表示処理の手順を示すフローチャートである。図８で示した視聴画面において、印刷用ページ表示ボタン８０７が押下されると、表示制御部５３は、印刷用ページ表示ボタン８０７の入力を受け付ける（ステップＳ１１０１）。そして、表示制御部５３は、印刷用ページ選択画面を表示装置に表示し（ステップＳ１１０２）、印刷用ページ選択画面で印刷用ページの選択待ち状態となる（ステップＳ１１０３）。
【００７６】
図１２は、印刷用ページ選択画面の内容の一例を示す模式図である。印刷用ページ選択画面には、図１２に示すように、複数の印刷用ページのレイアウトの一覧が表示されており、かかる一覧から利用者は所望のレイアウトの印刷用ページを選択することになる。図１２では、レイアウト２の印刷用ページが選択されている状態を示している。
【００７７】
表示制御部５３は、印刷用ページの選択を受け付けた場合には、選択された印刷用ページ画面ファイル５２ｂをＨＤＤ５１から読み出す（ステップＳ１１０４）。さらに、表示制御部５３は、コンテンツファイル５２ａでリンクされている印刷用ページ用のすべての縮小画像（印刷用ページサムネイル画像）をＨＤＤ５１から読み出す（ステップＳ１１０５）。
【００７８】
次に、表示制御部５３は、読み出した印刷用ページ画面ファイル５２ｂを、読み出したすべての縮小画像（印刷用ページサムネイル画像）とともに表示装置に表示する（ステップＳ１１０６）。これ以降は、実施の形態の印刷ページ画面の表示処理と同様に行われる。
【００７９】
このように実施の形態２にかかるコンテンツ編集再生装置５では、複数の印刷用ページを生成して、コンテンツファイル５２ａの再生時に利用者に所望の印刷用ページを選択させ、選択された印刷用ページ画面を表示するので、複数のレイアウトの印刷用ページ画面を利用者に提供することができるとともに、利用者の所望のレイアウトで印刷用ページを表示することができ、利用者の便宜が図られる。
【００８０】
図１３は、イベント記録装置２およびコンテンツ編集再生装置５のハードウエア構成を示すブロック図である。図１３に示すように、イベント記録装置２およびコンテンツ編集再生装置５は、各種演算を行ない各部を集中的に制御するＣＰＵ１３１１と、各種のＲＯＭ、ＲＡＭからなるメモリ１３１２とが、バス１３１３で接続されている。
【００８１】
バス１３１３には、所定のインターフェイスを介して、ハードディスクなどの磁気記憶装置１３１４と、入力装置であるマウス１５と、入力装置であるキーボード２１と、ＬＣＤ等の表示装置１３１６とを備えている。また、光ディスクなどの記憶媒体１３１７を読み取る記憶媒体読取装置１３１８が接続可能であり、インターネットなどのネットワーク１３１９と通信を行なう所定の通信インターフェイス１３２０が接続されていてもよい。なお、記憶媒体１３１７としては、ＣＤ，ＤＶＤなどの光ディスク、光磁気ディスク、フレキシブルディスクなどの各種方式のメディアを用いることができる。また、記憶媒体読取装置１３１８は、具体的には記憶媒体１３１７の種類に応じて光ディスク装置、光磁気ディスク装置などが用いられる。
【００８２】
コンテンツ編集再生装置５には、その磁気記憶装置１３１４に、実施の形態１および２のプログラムを実現するコンテンツ生成プログラムが記憶されている。このコンテンツ生成プログラムは、記憶媒体１３１７から記憶媒体読取装置１３１８により読み取るか、あるいは、インターネットなどのネットワーク１３１９からダウンロードするなどして、磁気記憶装置１３１４にインストールしたものである。このインストールによりコンテンツ編集再生装置５は動作可能な状態となる。すなわち、ＣＰＵ１３１１がコンテンツ生成プログラムに基づいて動作することにより、後述の各種モジュールの機能をそれぞれ実現する。なお、コンテンツ生成プログラムは、特定のアプリケーションソフトの一部をなすものであってもよい。また、所定のＯＳ上で動作するものであってもよい。また、イベント記録装置２の磁気記憶装置１３１４には、所定のプレゼンテーション・ソフトも記憶されている。
【００８３】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００８４】
【図１】実施の形態１にかかるコンテンツ編集再生装置５を含むコンテンツ生成システム１の全体構成を示す模式図である。
【図２】実施の形態１にかかるコンテンツ編集再生装置５のコンテンツ編集部３５と、イベント記録装置２のイベント処理部３２の機能構成を示すブロック図である。
【図３】プレゼンテーション資料３１ａについて説明するための模式図である。
【図４】コンテンツ編集部３５が生成したコンテンツファイル５２ａの一例を示す説明図である。
【図５】コンテンツファイル５２ａの内部構造を示す説明図である。
【図６】実施の形態１にかかるコンテンツファイルの生成処理の手順を示すフローチャートである。
【図７】コンテンツ生成画面の一例を示す模式図である。
【図８】コンテンツファイル５２ａの視聴画面の一例を示す模式図である。
【図９】実施の形態１における印刷用ページの表示処理の手順を示すフローチャートである。
【図１０】印刷用ページ画面の内容の一例を示す模式図である。
【図１１】実施の形態２における印刷用ページの表示処理の手順を示すフローチャートである。
【図１２】印刷用ページ選択画面の内容の一例を示す模式図である。
【図１３】イベント記録装置２およびコンテンツ編集再生装置５のハードウエア構成を示すブロック図である。
【符号の説明】
【００８５】
１  コンテンツ再生システム
２  イベント記録装置
３  投影機
４  ＤＶカメラ
５  コンテンツ編集再生装置
２１  キーボード
３０  表示画面
３１，５１  ＨＤＤ
３１ａ  プレゼンテーション資料
３２  イベント処理部
３３  イベントキャプチャ部
３４  イベント記録部
３５  コンテンツ編集部
３６  受信部
３７  イベント制御部
３８  イベント記録部
３９  撮影機器制御部
４０  動画キャプチャ部
４２  イベント解釈部
５２ａ  コンテンツファイル
５２ｂ  印刷用ページ画面ファイル
５４  指示受付部
３１０，３１２，３１４，３１６，３１８，３２０  画面画像データ
４００  動画データ
４１０  区間
８０１  映像表示領域
８０２  画面画像表示領域
８０３  開催名
８０４  切替えボタン
８０５  拡大縮小ボタン
８０６  目次表示領域
８０７  印刷用ページ表示ボタン
８０８  画面画像の再生制御ボタン
１００１  縮小画像
１３１３  バス
１３１４  磁気記憶装置
１３１７  記憶媒体
１３１９  ネットワーク
【図１】
0004695609.tif 000002
【図２】
0004695609.tif 000003
【図３】
0004695609.tif 000004
【図４】
0004695609.tif 000005
【図５】
0004695609.tif 000006
【図６】
0004695609.tif 000007
【図７】
0004695609.tif 000008
【図８】
0004695609.tif 000009
【図９】
0004695609.tif 000010
【図１０】
0004695609.tif 000011
【図１１】
0004695609.tif 000012
【図１２】
0004695609.tif 000013
【図１３】
0004695609.tif 000014